(57)【特許請求の範囲】
【請求項１】
上から冷蔵室、野菜室、冷凍室の順に配設され、前記冷蔵室内に設置した給水ボトル部と、前記冷凍室内に設置した製氷部とを備えた自動製氷機付き冷蔵庫において、前記野菜室の側壁を形成する断熱材に設けられ給水パイプが挿入されるガイド溝と、前記野菜室と冷凍室とを仕切る仕切壁に設けられ前記給水パイプを臨ませる樋部と、この樋部に設けられ前記製氷部の真上に位置する注水口とを備えた自動製氷機付き冷蔵庫。
【請求項２】
請求項１において、樋部が、仕切壁と一体に形成されると共に、凍結防止用ヒータを備えた自動製氷機付き冷蔵庫。
【請求項３】
請求項１又は２において、樋部が蓋を備える自動製氷機付き冷蔵庫。
【請求項４】
請求項１乃至３のいずれかにおいて、注水口が、その先端を仕切壁より５ｍｍ以内の出張り寸法とされた自動製氷機付き冷蔵庫。
【請求項５】
請求項１乃至４のいずれかにおいて、樋部を設ける仕切壁が、断熱材発泡後に冷蔵庫本体に組付けられる自動製氷機付き冷蔵庫。
【発明の詳細な説明】
【０００１】
【発明の属する技術分野】
本発明は多扉化に対応して、冷蔵庫の庫内（冷凍室を含む）を数室に仕切った時の冷蔵庫に関するもので、特に給水タンクより製氷部に水を供給する給水経路に係わるものである。
【０００２】
【従来の技術】
最近市販されている冷蔵庫は冷凍食品を貯蔵する冷凍室、冷蔵食品を貯蔵する冷蔵室、野菜、くだものを貯蔵する野菜室、それにチルド食品を貯蔵するチルド室といった具合に冷蔵庫を細かく区画し、且つそれぞれに専用の仕切壁及び扉を備えている。
【０００３】
一方、冷蔵庫の製造工程から見ると、例えば庫内を冷却する冷却器及びその冷却器で冷却された冷気を各部屋に送る冷気循環用ファンモータ等は以前として前面の庫内側より冷凍室背壁近くに配設されている。従って前記した如く、仕切壁により庫内が数室に区画されるようになると、先の冷却器及びファンモータ等の冷蔵庫本体への組み付けが非常に問題となることは、すぐ理解される所である。一般的にはこのことから、庫内前面側からの組み込みを考え組込み部品の多い冷凍室の間口は大きくとっているのが現状である。
【０００４】
ところが、最近になって従来冷蔵室の上方に位置していた冷凍室を冷蔵室の下方に設置する所謂、ボトムフリーザータイプの冷蔵室が市販されるようになってきた。このものであると当然、冷凍室は引出式（使い勝手上）となり、この引出式の冷凍室であった場合、底の深い容器であると、下の方に何が入っているか識別しにくくなることより、引出式の容器は底の浅いものとならざるを得ない。この為容器を２つ或いは３つに分けることとなる。こうなると先にも記述した如く、従来冷却器等の組み付けの為に確保されていた冷凍室の間口が仕切壁により区画されてしまうこととなる。従って、冷蔵庫組立時の作業効率等が著しく低下すると言うこととなっていた。又、冷蔵室に給水ボトル部を、冷凍室に製氷部を設置した自動製氷機付冷蔵庫にあっては、上記給水ボトル部と製氷部を結ぶ給水パイプの処理が難しくなる等の問題があった。
【０００５】
尚、多扉化した冷蔵庫の例としては特開昭６０−１１１８６７及び、特開平４−３１３６６５号公報等が揚げられる。
【０００６】
【発明が解決しようとする課題】
上記した如き冷凍室が冷蔵室の下方に位置した冷蔵庫であって、しかも上記冷凍室前面に仕切壁を設け２つの容器とした冷蔵庫にあっては次のような問題点があった。
【０００７】
（１） 冷凍室背部に庫内側より組み付ける冷却器及び冷気循環用ファンモータの組み付け作業が非常に困難となる。
【０００８】
（２）冷却器の上方に冷気循環用ファンモータを設置するタイプの冷蔵庫にあっては、上記冷気循環用ファンモータを取付ける位置が冷凍室上面を形成する仕切壁より上方に位置してしまう。
【０００９】
（３） 冷凍室後方背面部に冷却器をたてて収納し、その上方に冷気循環用ファンを設置しようとしても、圧縮機で冷凍室底面が前方に比較し持ちあがっている為、冷凍室後方部にその寸法が確保できない。
【００１０】
（４） 冷凍室の背壁部に形成される冷却器室の冷気を冷却室上方に位置する冷蔵室に導くダクト形成が複雑となる。
【００１１】
（５） 冷凍室を最下部に形成する所謂ボトムフリーザーに於いては、自動製氷機が作る氷の使い勝手が問題となる。
【００１２】
即ち、使用者は腰をかがめて氷の入った容器を引き出すこととなる。この為、少しでも上記自動製氷機の位置を冷凍室天井（仕切壁）に近付けて設置する必要が出てくる。この時障害となるのが製氷部に水を給水する給水パイプの処理である。通常、自動製氷機に取付けられた製氷皿は、周知のように、駆動モータの軸を中心に回転する。この為、該給水パイプはこの製氷皿の回転軌跡から外れた所に設置する必要がある。従って、上記自動製氷機の製氷皿と冷凍室天井間には少なくとも製氷皿の回転軌跡分の寸法と、給水パイプ設置部の寸法が必要となる。
【００１３】
本発明は、この給水パイプ設置部の寸法を最少にすると共に、上記給水パイプの冷蔵庫への組み込み、並びに給水パイプ部の大巾原価低減をも目的とするものである。
【００１４】
【課題を解決するための手段】
本発明は、上記課題を解決すべくなされたものである。
【００１５】
即ち、上から冷蔵室、野菜室、冷凍室の順に配設され、前記冷蔵室内に設置した吸水ボトル部と、前記冷凍室内に設置した製氷部とを備えた自動製氷機付き冷蔵庫において、前記野菜室の側壁を形成する断熱材に設けられ給水パイプが挿入されるガイド溝と、前記野菜室と冷凍室とを仕切る仕切壁に設けられ前記給水パイプを臨ませる樋部と、この樋部に設けられ前記製氷部の真上に位置する注水口とを備えたものである。
【００１６】
具体的には、仕切壁に設ける樋部を仕切壁と一体に形成すると共に、その樋部に凍結防止用ヒータを設け、従来のアルミパイプ等を除去し、大巾減価低減を図ったものである。
【００１７】
又、樋部には着脱自在の蓋を設け、給水経路がホコリ等で汚れるのを防止するようにしたものである。更に、樋は樹脂製となし、製氷部に臨む注水口先端は、仕切壁より５〜１０ｍｍ以内の出張り寸法とし、製氷機部の設置スペースの改善を図ったものである。更に又、給水パイプに臨む仕切壁は、発泡後に冷蔵庫本体に組付けらるようにしたものであることから、樋の組立作業、例えば凍結防止用ヒーターの組み込みも非常に用意なものとなるものである。
【００１８】
【発明の実施の形態】
以下本発明の詳細を図に示す一実施例で説明する。
【００１９】
図１は、本発明を備えた冷蔵庫の縦断面図、図２は本発明を備えた仕切壁の組込み状態を説明する図、図３は図２のＡ−Ａ断面図、図４は図２のＢ−Ｂ断面図、図５は図１の冷却室正面図、図６は図１とは異なる第２の仕切壁の斜視図である。
【００２０】
先ず図１に於いて、１は冷蔵庫本体、この冷蔵庫本体１は外箱２と内箱３間に発泡断熱材４を充填した箱体５と圧縮機６、凝縮機７、冷却器８等より成る冷凍サイクルと、上記箱体５が形成する冷凍室９、野菜室１０、それに冷蔵室１１等の前面開口部を閉塞する扉１２、１３、１４、１５等より構成されている。
【００２１】
尚、上記扉１２、１３、１４は冷凍室９ａ、９ｂを形成する引出し容器１６、１７及び野菜室１０を形成する引出し容器１８を枠をもって扉側に有している。換言すると、扉１２、１３、１４は引出し式の扉であり扉の引出しに合わせ、該引出し容器１６、１７、１８が引き出されてくるものである。又、本冷蔵庫は冷凍室９が最下段であり中央が野菜室１０そしてその上が冷蔵室１１となるよう構成されている点も特徴としているものである。しかして、上記冷蔵庫本体１は圧縮機６収納の為に、冷凍室９の後方部を前方部に比較して上底としている。これに伴い、先の冷凍室の引出し容器１６はこの部分を避けた形状に作られている。１９は冷凍室９の背面後方部に形成された冷却器室。この冷却器室１９内に先の冷却器８は縦て収納されている。２０は上記冷却器８の上方に設置された冷気循環用ファン。２１はファンモータである。これら冷却器８、冷気循環用ファン２０は図１にも示す如く冷蔵庫本体１の背面部に位置する。従って、圧縮機６により冷凍室９の下面が上底になっているものにあっては冷凍室９の上面（仕切壁２２の下面）より冷気循環用ファン２０の位置の方が上方に位置してしまう。２２は上記した如く仕切壁。この仕切壁２２は冷凍室９と野菜室１０間を熱的に区画する。又、この仕切壁２２は後方に立上り部２２ａを有している。この立上り量は冷気循環用ファン２０の上部に至る高さとする。更に、この仕切壁２２は先にも記述した如く冷凍室９の上面を形成する。換言すると、仕切壁２２は扉１３、１４のガスケット（図示せず）の受面も形成しているものである。従ってこの仕切壁２２の前端部には、仕切板２３表面を加熱し露が付かないようにする為の高温パイプ２４（冷凍サイクルの凝縮器部のパイプを意味する）を有している。この仕切板２３を基準にして、先の立上り部２２ａは上方に立ち上がっているものである。２５は冷却器室１９と冷凍室９を仕切る役目も果たすファンガードで、冷却器８で冷却された冷気は冷気循環用ファン２０の働きにより冷凍室９に上記ファンガード２５を経由して吹き出されるものである。２６は自動製氷機。この自動製氷機２６は先の仕切壁２２の下面近くに設けられている。２７は上記自動製氷機２６部に冷気を送る冷気ダクトで、先の仕切壁２２の下面に図に示す如く取付けられ、仕切壁２２下面と冷気ダクト２７間を冷気通路としている。又、上気仕切壁２２は立上り部２２ａを有する側（第２の仕切壁２２ｃ）と仕切板２３を有する側（第１の仕切壁２２ｂ）とに分割されているものである。そして、第１の仕切壁２２ｂは発泡断熱材４の発泡前に冷蔵庫の箱体５に組み付けられる。これは先の高温パイプ２３を仕切板２３の裏面に取付ける為である。即ち、高温パイプ２３は冷蔵庫の箱体５の開口前面の大半に配設されるもので、先の高温パイプ２３はその一部である。従って、上記第１の仕切壁２２ｂは上記高温パイプ２３を取付けることが出来る梁状仕切壁であっても良いことは言うまでもない。又、上記第１、第２の仕切壁２２ｃは発泡後に箱体５に組み付けられるものである。即ち、図にも示す如く冷凍室９の間口が第３の仕切壁２８によって２分割されているような冷蔵庫にあっては、先に説明した冷却器８及び冷気循環用ファン２０及びファンモータ２１を断熱材４の発泡後、仕切壁２２と第３の仕切壁２８との間（３０ｃｍ以内）を通して組み付けることは不可能に近いことは容易に推察できる所である。即ち、上記冷却器８及び冷気循環用ファン２０を箱体５（冷蔵庫本体１）に組み込む人の目の位置は図に示すような位置となる。そこでこの作業を助ける為に立上り部２２ａを有す第２の仕切壁２２ｃと第１の仕切壁２２ｂとは発泡後の冷却器８の組み付け終了時に冷蔵庫本体１に組み付けるようにしているものである。換言するとこの第２の仕切壁２２ｃの大きさは、サービス時冷却器８を冷却器室１９より脱着出来る大きさであり、且つその冷却器８等の脱着作業が出来る大きさとしておくものである。２９は突出壁。この突出壁２９と先に説明した仕切壁２２（立上り部２２ａ）とで、冷却器室１９の上部を形成する。又、この突出壁２９内には成形断熱材（スチロフォーム）３０が発泡断熱材４の充填前に配設され、該発泡断熱材４により、接着固定されている。３１は上記成形断熱材３０及び突出壁２９を貫通して形成された冷気通路を示す。先に説明した仕切壁２２の一辺はこの突出壁２９に図に示す如き構造で取付けられている。３２はダンパー組品を示す。このダンパー組品３２は後述する電動ダンパーと冷気通路を有す断熱材等により構成されている。而して、上記ダンパー組品３２は突出壁２９に乗せるように組み付けられ、丁度先のダンパー組み品側断熱材に形成された冷気通路が成形断熱材３０に形成された冷気通路３１に連通している。従って、冷却室１９内よりの冷却器８を経た冷気は、突出壁３０を経由してダンパー組品３２に至り、必要な量の冷気だけが該ダンパーの働きにより冷蔵室１１等に供給させるものである。１８は野菜室用の引出し容器。この野菜室用の引出し容器１８は図に示す如く、先の突出壁２９及び仕切壁２２の立上り部２２ａが野菜室１０側に出張る分、切欠かれた形状に作られている。
【００２２】
尚、野菜室用の引出し容器１８の如く冷蔵庫に設けられる引出し容器は特殊（ダブルレール）なものを除いて、通常冷蔵庫開口面（仕切板２３面）より全体が飛びだすことなく容器１８の２／３位しか引出せない。これは引出し容器１８を引出す枠３３やレールの構造に起因するものである。従って、該引出し容器１８は先の突出壁２９と立上り部２２ａに当接する迄の奥行きとする必要がないものである。換言すると、上記引出し容器１８の後方部は無効空間になっているのが現状の冷蔵庫である。この無効空間を利用すべく先のダンパー組品３２を設置したものである。４１はダンパー組品から出た冷気を冷蔵室１１に供給する冷蔵室用ダクト。このダクト４１より冷気は図に示す如く冷蔵室１１に吹き出されて行くものである。
【００２３】
次に図２、３、４を用いて、仕切壁２２の構造及び取付構造について説明すると、上記仕切壁２２は先にも説明した如く、第１の仕切壁２２ｂと第２の仕切壁２２ｃに分割されているもので、その接続部は図２、図４の如く構成され、継目より水、冷気等が洩れない工夫が施されている。又、第２の仕切壁２２ｃと内箱３との接続は図３の如く構成されている。尚、第１の仕切壁２２ｂは図には示してないが、内箱３に形成したガイド溝に前面よりスライドして組み込む、従来から採用されている方式で取付けられているものである。
【００２４】
３４は上記第２の仕切壁２２ｃとの両側端に設けられた、ネジ締め用ガイド穴。３５は内箱３の側壁に形成された仕切壁取付用の段差。この段差３５を利用し、先の第２の仕切壁２２ｃとは、ネジ３６止めされるものである。即ち、上記第２の仕切壁２２ｃの背部は、図１の如く突出壁に取付けられ、両側は段差３５に、そして前部は第１の仕切壁２２ｂに図４の如く組み付けられるものである。図からも明らかな如く、第２の仕切壁２２ｃは冷却器室１９への冷却器８及び冷気循環用ファン２０の組み込みが完了した時点で上から蓋をするような格好で取付けられるものである。勿論、第２の仕切壁２２ｃと接する段部３５、突出壁２９、それに第１の仕切壁２２ｂとの当接部には、冷気及び水洩れを防止する為のシール材が施されていることは当然である。このシール材の取付けを容易にする手段として図６の如く第２の仕切壁２２ｃを容器状となし、その端面にフランジ３７を設け、このフランジ３７裏面にシール材（例えば軟質ウレタンフォーム等）を貼り付けるようにすることが考えられる。勿論この時には、受面となる内箱３、突出壁２９、第１の仕切壁２２ｂ側も対応させておく必要があることは言うまでもない。
【００２５】
次に図５を用いて、突出壁２９上面に取付けられるダンパー組品３２及びこのダンパー組品３２下部に形成されている冷却器室１９との関係を説明する。
【００２６】
図に於いて、３２はダンパー組品、このダンパー組品３２は電動ダンパー３８と、このダンパー３８を包む断熱材３９、それにケース４０等より構成されている。しかして、上記断熱材３９には、突出壁２９に設けた冷気通路３１で受け取った冷気を、電動ダンパー３８部に導き、且つその電動ダンパー３８を経た冷気を冷蔵室用ダクト４１迄矢印の如く導く冷気通路４２、及び冷蔵室１１の戻り冷気を冷却器８に導く戻しダクト４５に連接する冷気通路４３を有している。４７は電気品ボックス（例えば基板等を収納）で、先のケース４０内に組み込まれている。
【００２７】
次に冷却器８で冷却された冷気と、先のダンパー組品３２との関係について説明する。図５に於いて、冷気循環用ファン２０により強制循環される冷気の内、冷凍室９に吹き出される冷気は、吐出口４８、４９よりファンガード２５（図１）を経て冷凍室９に吹き出され、ファンガード２５下部より冷却器８に戻るものである。一方、冷蔵室１１側に吹き出される冷気は、突出壁２９に形成された冷気通路３１を経てダクト組品側の冷気通路４２に入り、電動ダンパー３８でコントロールされた冷気量が冷蔵室用ダクト４１より冷蔵室１１に図１に示す如く吹き出されて行くものである。又、冷蔵室１１を冷却した後の冷気は、ダンパー組品３２に設けられた冷気通路４３を経て、突出壁２９に連続するよう庫内側に突出して形成された、第２の突出壁４４中に設けた戻しダクト４５を通して、冷却器８下部に戻されるものである。この時野菜室１０は冷蔵室１１を冷却した冷気の一部、又は全部を回すことにより冷却されるものである。そして野菜室１０冷却後の冷気は、先の戻しダクト４５の途中に設けた、野菜室冷気戻り口４６より冷却器８側に戻されるものである。
【００２８】
次に、図７を用いて図１に示す高温パイプと仕切壁との関係を示す。
【００２９】
図に於いて、１は冷蔵庫本体、２は外箱、３は内箱そして９は冷凍室、１０は野菜室、１１は冷蔵室、２４は高温パイプ、この高温パイプ２４は冷凍サイクル中の放熱部にあたる部分で露付防止の為のものである。先にも説明したが、本発明に於いては図１で示す第１の仕切壁２２ｂと、第２の仕切壁２２ｃを発泡後でしかも冷凍室等への冷却器８に組込後組付ける様にして冷却器８等の冷凍室９への組み付け作業を容易にしている。ここで問題になるのが高温パイプの処理である。通常、この高温パイプ２４は外箱２のフランジ部２ａ裏側（発泡断熱材側）に配設されている。作業の手離れを考えた場合、この高温パイプ２４は仕切壁２２以外の仕切壁同様発泡時点で仕切壁に固定してしまうのが良い訳であるが、冷凍室９奥部に冷却器８を組み込む作業を容易にする為にはＬ寸法で５００ｍｍ前後が必要になる。従って、本発明に於いては、第１の仕切り壁２２ｂ部にダミーの仕切壁相当品５０を用いたものである。即ち、このダミーの仕切壁相当品５０は発泡時には冷蔵庫本体１に組付けておき、発泡後には図７に示す如く冷蔵庫本体より取外しておき、冷却器８の冷凍室９奥部への組み込み作業を容易にしておくものである。換言すると、作業者は必要に応じ高温パイプを邪魔にならない位置まで折り曲げておくことが出来るものがある。一連の作業が終了した時点で図に示すような第１の仕切壁に該高温パイプを組み付け、それを冷蔵庫本体に組込んだものである。勿論第２の仕切壁２２ｃは第１の仕切壁２２ｂの組込み完了後に行なわれるものである。一方冷蔵庫のサービス（保守点検）時には第２の仕切壁２２ｃを取り外せば十分その作業が出来る設計としておくものである。
【００３０】
次に、図８、図９を用いて自動製氷機２６について説明する。
【００３１】
この図８は、図１のＣ−Ｃ断面相当図、図９は図８の要部拡大図である。以下図に於いて、２６は自動製氷機。この自動製氷機２６は先の仕切壁２２に取付けられているものである。又、この自動製氷機２６は製氷皿部２６ａと駆動部等より構成されているものである。しかして、この製氷皿部２６ａは図にも示す如く、駆動部により強制的に回転され、製氷皿部２６ａで出来た氷が離氷される構造になっている。この為、製氷皿部２６ａと仕切壁２２との間には該製氷皿を回転することが出来る寸法が確保されているものである。５１は、上記自動製氷器２６で作られた氷を一時ストックしておく貯氷箱である。この貯氷箱５１は、引出し容器１７内に設置されている。５２は、冷蔵室１１内に設置された給水タンク。５３は、この給水タンク５２より一定の量の水を製氷皿部２６ａに導水する給水パイプ。この給水パイプ５３は図にも示す如く、野菜室１０ａ側壁（発泡断熱材４）部に形成されたガイド溝５４中に、着脱自在に装着されている。
【００３２】
尚、この時上記給水パイプ５３は、ガイド溝５４中に着脱自在に装着されている。即ち、ガイド溝５４の開口５４ａより、該給水パイプ５３の弾性変形（合成樹脂のパイプ）を利用してガイド溝５４内に挿入される。そして開口５４ｂより一旦野菜室１０内に引き出されているものである。又、上記注水口５６の出張り寸法を１０ｍｍ以下と押えることが出来る理由には次のことがある。即ち、注水口５６から出る水が表面張力で回り込むのを防止するのに必要な寸法は約１０ｍｍである。本発明に於いては図９にも示す如く、仕切壁２２の溝部６２と共同してこれを確保するようにしたものである。
【００３３】
以上の如く構成することにより、先ず、給水パイプ５３、ガイド溝５４への装着により容易に行なえる。しかもこの給水パイプ５３はガイド溝内に位置し、発泡断熱材４とは密着していないことにより、保守点検時の給水パイプ５３の引き抜きは容易に行なえるものである。又次に、注水口５６を製氷皿部２６ａの真上に位置させ、且つ注水口５６を合成樹脂としていることもあって、凍結防止用ヒータ５７を伴っているが、アース等を必要としないものである。又、給水パイプ５３と樋５５との関連付けも樋５５の大きさで自由に誤差を吸収することが出来るものである。
【００３４】
次に、上記給水パイプ５３と製氷皿部２６ａ間の距離寸法であるが、先にも記述した如く、給水パイプ５３先端から表面張力で回り込む水を防止する為の必要寸法は仕切壁２２に溝部６２を設けることにより確保するようにしたので、この点が問題となることはないものである。そして、製氷皿部２６ａと仕切壁２２間寸法は短縮することが出来るので、効率の良い自動製氷機の設置が可能となることは勿論、これに伴って、あがる貯氷箱の使い勝手も向上するものである。
【００３５】
５５は、仕切壁２２と一体に形成された樋である。この樋５５は先の給水パイプ５３にて給水タンク５２より給水されてきた水を一旦受け、それを自動製氷機の製氷皿部２６ａに注水する。５６はその注水口を示す。前述の如く、上記仕切壁２２は、通常別々に樹脂成形にて使った上仕切と、下仕切とを組み合わせてつくる内部空間に発泡ポリエチレン等の断熱材スラブを埋めて作られるものである。上記樋５５は、上仕切と一体に作れるということである。換言すると上記給水パイプ５３は給水タンク５２の水をこの樋５５まで導くパイプであって、製氷皿部２６ａに注水するのは樋５５の注水口５６である。この注水５６は製氷皿部２６ａの真上に位置し、仕切壁２２よりの出張り寸法が１０ｍｍ以下と非常に短く押さえられている。樋５５の注水口５６を製氷皿部２６ａに対向させるメリットの一つに位置出しが非常に簡単であるとの理由がある。即ち、製氷皿部２６ａも仕切壁２２を基準に取り付けられる為である。又、注水口５６を１０ｍｍ以下と短くする理由勿論、製氷機２６のコンパクト化もあるが、先にも記述した如く、樋５５自体が金属でなく合成樹脂である為凍結に弱いということがある。この凍結対策として本発明に於いては図９にも示す如く、樋５５の裏側（断熱材側）には、凍結防止用ヒータ５７が設けられている。この凍結防止用ヒータ５７で保証出来る範囲が１０ｍｍ以下ということである。通常上記保証が出来るか出来ないかの判定は注水口５６に表面張力等で残った水の膜、或いは水滴が次の注水時の障害となるかならないかで判断される。
【００３６】
尚、上記凍結防止用ヒータ５７への通電は冷蔵庫のオン時通電としても良く、連続通電としても良い。要は、先の判定がクリアー出来れば良いのである。５９は仕切壁２２にこぼれた水が樋５５に入るのを防止する立上リブである。この立上リブ５９は樋５５の周縁に設けられている。６０は、樋５５の上面を蓋するカバーである。このカバー６０には、給水パイプ５３の組立上出る寸法誤作等を吸収する穴６１が設けられており、樋５５に対し着脱自在に設けられている。
【００３７】
尚、カバー６０付樋５５を上記の如く仕切壁２２と一体に設けるメリットの一つには次のこともある。即ち、先にも記述した如く仕切壁２２は上仕切、下仕切断熱材等より成り、冷蔵庫組み立て時には、上記部品を仕切壁２２としてまとめておくものである。換言すると、樋５５部に使われる凍結防止用ヒータ５７は、この時仕切壁２２内に当然部組みされるものである。従って、上記凍結防止用ヒータ５７は非常に作業しやすい所で、仕切壁２２に取付けされる上、仕切壁２２内は比較的スペース的にも恵まれている点である。従って、この部分には十分樋５５を暖めることが出来る容量の凍結防止用ヒータ５７を設けることが出来るものである。
【００３８】
【発明の効果】
本発明は以上説明した如き構造を有するものであるから、給水パイプの配設は勿論、保守点検は容易に行なえるものである。又、製氷皿部に臨む注水口を合成樹脂製パイプとなし、仕切壁からの出張り寸法を規定したので、自動製氷機の設置効率が向上するものである。更には、凍結防止用ヒータを注水部近くに設置しても、従来の如く、アースなどを必要としないので、減価的にも非常に有利なものとすることが出来る。更に又、上記凍結防止用ヒータの設置場所も十分確保されるので、必要な容量が確保出来るものである。
【図面の簡単な説明】
【図１】本発明を備えた冷蔵庫の縦断面図。
【図２】本発明を備えた仕切壁の組み込み状態を説明する図。
【図３】図２のＡ−Ａ断面図。
【図４】図２のＢ−Ｂ断面図。
【図５】図１の冷却室正面図。
【図６】図１とは異なる第２の仕切壁の斜視図。
【図７】図１に示す高温パイプと仕切壁との関係を示す図。
【図８】図１のＣ−Ｃ断面相当図である。
【図９】図８の要部拡大図である。
【符号の説明】
１・・・冷蔵庫本体            ２・・・外箱
３・・・内箱                  ４・・・発泡断熱材
５・・・箱体                  ６・・・圧縮機
７・・・凝縮器                ８・・・冷却器
９・・・冷凍室（９ａ、９ｂ冷凍室）      １０・・・野菜室
１１・・・冷蔵室              １２・・・冷凍室扉
１３・・・冷凍室扉            １４・・・野菜室扉
１５・・・冷蔵室扉            １６・・・引出し容器（冷凍室９ａ用）
１７・・・引出し容器（冷凍室９ｂ用）
１８・・・引出し容器（野菜室用）          １９・・・冷却器室
２０・・・冷気循環用ファン    ２１・・・ファンモータ
２２・・・仕切壁              ２２ａ・・・立上り部
２２ｂ・・・第１の仕切壁      ２２ｃ・・・第２の仕切壁
２２ｄ・・・溝部              ２３・・・仕切板
２４・・・高温パイプ          ２５・・・ファンガード
２６・・・自動製氷機          ２６ａ・・・製氷皿部
２７・・・冷気ダクト          ２８・・・第３の仕切壁
２９・・・突出壁              ２９ａ・・・凹溝
３０・・・成形断熱材          ３１・・・冷気通路
３２・・・ダンパー組品        ３３・・・枠
３４・・・ネジ締め用ガイド穴  ３５・・・仕切壁取付用の段差
３６・・・ネジ                ３７・・・フランジ
３８・・・電動ダンパー        ３９・・・断熱材
４０・・・ケース              ４０ａ・・・取付脚
４０ｂ・・・ネジ取付用凹部    ４１・・・冷蔵室用ダクト
４２・・・冷気通路（吐出用）  ４３・・・冷気通路（戻り用）
４４・・・第２の突出壁        ４５・・・戻しダクト
４６・・・野菜室冷気戻り口    ４７・・・電気品ボックス
４８・・・吐出口              ４９・・・吐出口
５０・・・ダミーの仕切壁相当品    ５１・・・貯氷箱
５２・・・給水タンク          ５３・・・給水パイプ
５４・・・ガイド溝            ５５・・・樋
５７・・・凍結防止用ヒータ    ５９・・・立上リブ
６０・・・カバー              ６１・・・穴
６２・・・溝部
【図１】
0003744043.tif 000002
【図２】
0003744043.tif 000003
【図３】
0003744043.tif 000004
【図４】
0003744043.tif 000005
【図５】
0003744043.tif 000006
【図６】
0003744043.tif 000007
【図７】
0003744043.tif 000008
【図８】
0003744043.tif 000009
【図９】
0003744043.tif 000010